【手続補正書】
【提出日】平成29年7月7日(2017.7.7)
【手続補正１】
【補正対象書類名】明細書
【補正対象項目名】０１２３
【補正方法】変更
【補正の内容】
【０１２３】
本発明の趣旨及び範囲から逸脱することなく様々な改変を行うことが可能である。これら及び他の実施形態は以下の特許請求の範囲内である。本発明の実施態様の一部を以下の項目［１］−［２０］に記載する。
［１］
第１の面であって、中央凹み部と、前記第１の面から突出し、かつ前記中央凹み部と同一平面上にない台部とを備える、第１の面と、
前記第１の面と反対側の第２の面と、
前記台部から第１の方向に延在する少なくとも３つの中空マイクロニードルと、を備え、
前記台部が、前記中央凹み部を実質的に取り囲み、
前記台部が、前記中央凹み部に近位の内周縁部、及び前記中央凹み部に遠位の外周縁部、を備え、
前記少なくとも３つの中空マイクロニードルがそれぞれ、
外表面と、
基部と、前記外表面の第１の区分によって画定される第１の形状とを有する、基部部分と、
先端と、前記外表面の第２の区分によって画定され、前記第１の形状とは異なる第２の形状とを有する、先端部分と、
前記基部部分と前記先端部分を線引きする、遷移面と、
中心軸と、を備える本体、を備え、
前記少なくとも３つの中空マイクロニードルのそれぞれの前記中心軸と、前記台の前記外周縁部から前記マイクロニードルの前記遷移面を通って延在する最短線とによって画定される第１の角度が、約５０°未満である、物品。
［２］
前記中心軸と、前記内周縁部から前記遷移面を通って延在する最短線とによって画定される第２の角度が、約５０°未満である、項目１に記載の物品。
［３］
前記遷移面が、前記中心軸に沿って測定されるとき、前記台部から約５００μｍ〜約８００μｍ離れて配設されている、項目１又は２に記載の物品。
［４］
第１の面であって、中央凹み部と、前記第１の面から突出し、かつ前記中央凹み部と同一平面上にない台部とを備える、第１の面と、
前記第１の面と反対側の第２の面と、
前記台部から第１の方向に延在する少なくとも３つの中空マイクロニードルと、を備え、
前記台部が、前記中央凹み部を実質的に取り囲み、
前記台部が、前記中央凹み部に近位の内周縁部、及び前記中央凹み部に遠位の外周縁部、を備え、
前記少なくとも３つの中空マイクロニードルがそれぞれ、
外表面と、
基部と、前記外表面の第１の区分によって画定される第１の形状とを有する、基部部分と、
先端と、前記外表面の第２の区分によって画定され、前記第１の形状とは異なる第２の形状とを有する、先端部分と、
前記基部部分と前記先端部分を線引きする、遷移面と、
中心軸と、を備える本体、を備え、
前記少なくとも３つの中空マイクロニードルがそれぞれ、前記基部から前記先端まで測定される高さを備え、
前記少なくとも３つの中空マイクロニードルのそれぞれの前記先端部分が、前記マイクロニードルの前記高さの少なくとも約３０％を画定する、物品。
［５］
前記基部部分が円錐形状であり、前記先端部分が実質的に円筒形状である、項目４に記載の物品。
［６］
前記高さは、前記基部部分と関連する第１の高さ構成要素と、前記先端部分と関連する第２の高さ構成要素とを備え、前記第２の高さ構成要素が約３００μｍ〜約８２５μｍである、項目４又は項目５に記載の物品。
［７］
第１の面であって、中央凹み部と、前記第１の面から突出し、かつ前記中央凹み部と同一平面上にない台部とを備える、第１の面と、
前記第１の面と反対側の第２の面と、
前記台部から第１の方向に延在する少なくとも３つの中空マイクロニードルと、を備え、
前記台部が、前記中央凹み部を実質的に取り囲み、
前記台部が、前記中央凹み部に近位の内周縁部、及び前記中央凹み部に遠位の外周縁部、を備え、
前記少なくとも３つの中空マイクロニードルがそれぞれ、
外表面と、
基部と、前記外表面の第１の区分によって画定される第１の形状とを有する、基部部分と、
先端と、前記外表面の第２の区分によって画定され、前記第１の形状とは異なる第２の形状とを有する、先端部分と、
前記基部部分と前記先端部分を線引きする、遷移面と、
中心軸と、を備える本体、を備え、
前記第１の面が、第１の領域を画定し、
前記台部が、前記第１の領域内の第２の領域を画定し、
前記第２の領域が、前記第１の領域の約４０％未満である、物品。
［８］
前記第１の面が、前記台部の前記外周縁部の少なくとも一部から横方向に延在するマイクロニードルのない周辺部を更に備え、前記周辺部が、前記第１の方向とは反対の第２の方向に前記台部から離れて傾斜する、項目１〜７のいずれか一項に記載の物品。
［９］
前記物品が、前記台部から、又は存在する場合は前記周辺部から延在する側壁部を更に備え、前記側壁部が前記第１の方向と実質的に反対に延在する、項目１〜８のいずれか一項に記載の物品。
［１０］
前記中央凹みが閉鎖凹みである、項目１〜９のいずれか一項に記載の物品。
［１１］
前記中央凹みが、前記第１の面から前記第２の面を通って延在する貫通孔である、項目１〜９のいずれか一項に記載の物品。
［１２］
前記台が環状である、項目１〜１１のいずれか一項に記載の物品。
［１３］
マイクロニードルのアレイが環状である、項目１〜１２のいずれか一項に記載の物品。
［１４］
一体化本体が、前記台部、前記周辺部、及び前記中央凹み部を備える、項目１〜１３のいずれか一項に記載の物品。
［１５］
前記複数のマイクロニードルのうちの少なくとも１つのマイクロニードルが、
基部と、
中心軸と、本体直径とを有する、細長い本体と、
先端と、前記中心軸に対して対角線上に配向され、かつ前記本体直径の少なくとも７５％を通って延在する第１の傾斜面と、前記中心軸に実質的に垂直に配向され、かつ前記第１の傾斜面と交わる第２の傾斜面と、前記第１の傾斜面の第１の縁部及び前記第２の傾斜面の第２の縁部によって画定される傾斜開口部と、を備える、先端部と、
前記傾斜開口部から前記本体内に軸方向に延在する中空流路と、を備える、項目１〜１４のいずれか一項に記載の物品。
［１６］
前記複数のマイクロニードルのうちの少なくとも１つのマイクロニードルが、
基部と、
中心軸を有する細長い本体と、
先端と、傾斜した表面と、前記傾斜した表面内の傾斜開口部と、を備える、先端部と、
前記傾斜開口部から前記細長い本体の少なくとも一部を通って軸方向に延在する第１の流路であって、前記中心軸と実質的に整列する第１の壁を有する、第１の流路と、
前記第１の流路から前記傾斜開口部まで半径方向に延在する第２の流路であって、前記中心軸に実質的に直角に配向される第２の壁を有する、第２の流路と、を備え、
前記第１の流路及び第２の流路が一体化して、前記傾斜開口部を形成する、項目１〜１５のいずれか一項に記載の物品。
［１７］
前記少なくとも１つのマイクロニードルが、前記先端に近位の第１の開口部から前記物品の前記第２の面内の第２の開口部まで前記物品を通って延在する中空チャネルを備える、項目１〜１６のいずれか一項に記載の物品。
［１８］
流体を身体内に注入するための、項目１〜１７のいずれか一項に記載の物品の使用。
［１９］
流体を身体から取り出すための、項目１〜１７のいずれか一項に記載の物品。
［２０］
前記物品が、アクチュエータに動作可能に連結されている、項目１８又は項目１９に記載の物品の使用。
【手続補正２】
【補正対象書類名】特許請求の範囲
【補正対象項目名】全文
【補正方法】変更
【補正の内容】
【特許請求の範囲】
【請求項１】
第１の面であって、中央凹み部と、前記第１の面から突出し、かつ前記中央凹み部と同一平面上にない台部とを備える、第１の面と、
前記第１の面と反対側の第２の面と、
前記台部から第１の方向に延在する少なくとも３つの中空マイクロニードルと、を備え、
前記台部が、前記中央凹み部を実質的に取り囲み、
前記台部が、前記中央凹み部に近位の内周縁部、及び前記中央凹み部に遠位の外周縁部、を備え、
前記少なくとも３つの中空マイクロニードルがそれぞれ、
外表面と、
基部と、前記外表面の第１の区分によって画定される第１の形状とを有する、基部部分と、
先端と、前記外表面の第２の区分によって画定され、前記第１の形状とは異なる第２の形状とを有する、先端部分と、
前記基部部分と前記先端部分を線引きする、遷移面と、
中心軸と、を備える本体、を備え、
前記少なくとも３つの中空マイクロニードルのそれぞれの前記中心軸と、前記台の前記外周縁部から前記マイクロニードルの前記遷移面を通って延在する最短線とによって画定される第１の角度が、約５０°未満である、物品。
【請求項２】
前記中心軸と、前記内周縁部から前記遷移面を通って延在する最短線とによって画定される第２の角度が、約５０°未満である、請求項１に記載の物品。
【請求項３】
前記複数のマイクロニードルのうちの少なくとも１つのマイクロニードルが、
基部と、
中心軸と、本体直径とを有する、細長い本体と、
先端と、前記中心軸に対して対角線上に配向され、かつ前記本体直径の少なくとも７５％を通って延在する第１の傾斜面と、前記中心軸に実質的に垂直に配向され、かつ前記第１の傾斜面と交わる第２の傾斜面と、前記第１の傾斜面の第１の縁部及び前記第２の傾斜面の第２の縁部によって画定される傾斜開口部と、を備える、先端部と、
前記傾斜開口部から前記本体内に軸方向に延在する中空流路と、を備える、請求項１又は２のいずれかに記載の物品。
【請求項４】
前記複数のマイクロニードルのうちの少なくとも１つのマイクロニードルが、
基部と、
中心軸を有する細長い本体と、
先端と、傾斜した表面と、前記傾斜した表面内の傾斜開口部と、を備える、先端部と、
前記傾斜開口部から前記細長い本体の少なくとも一部を通って軸方向に延在する第１の流路であって、前記中心軸と実質的に整列する第１の壁を有する、第１の流路と、
前記第１の流路から前記傾斜開口部まで半径方向に延在する第２の流路であって、前記中心軸に実質的に直角に配向される第２の壁を有する、第２の流路と、を備え、
前記第１の流路及び第２の流路が一体化して、前記傾斜開口部を形成する、請求項１〜３のいずれか一項に記載の物品。